(57)【要約】  【課題】録画予約をしたこと、または録画予約がされていないことをユーザに事前に知らせる。  【解決手段】ＤＶＤレコーダ一体型テレビ１で録画予約するときに、録画開始時刻の前に行なわれる事前通知の要否、事前通知の警報種別（ブザー３５など）、および事前通知の先行時間も一緒に設定され、メモリ１７に保存される。そして、録画開始時刻よりも先行時間だけ早い時刻になり、事前通知要と設定されていると、マイコン１６がメモリ１７中の警報種別をリモコン３０に送信する。リモコン３０側では、マイコン３４が受信した警報種別に基づいてブザー３５などを作動させる。このようにして録画予約された放送番組が始まる前に事前通知が行われるので、録画予約をしたことを忘れていても、ユーザはモニタ１３の電源を入れて放送番組を録画しながら視聴することができる。【選択図】  図１
2006254264.tif 000002
【特許請求の範囲】
【請求項１】
装置本体とリモコンとからなり、テレビ放送番組の録画予約機能を有する録画再生装置一体型テレビにおいて、
前記装置本体は、
前記録画予約の録画開始時刻の前に行われる事前通知の要否、事前通知の警報種別および事前通知の先行時間を前記録画予約ごとに設定する設定手段と、
前記設定手段で設定された事前通知の要否、警報種別および先行時間を前記録画予約の録画開始時刻と対応付けて記憶する記憶部と、
前記記憶部に記憶された事前通知要の録画予約の録画開始時刻と先行時間とに基づいて、前記事前通知の通知時刻に到達したか否かを判定する判定手段と、
前記判定手段が通知時刻に到達したと判定したときに、当該録画予約に係る前記警報種別を電波信号によってリモコンに送信する送信手段と、を備え、
前記リモコンは、
前記装置本体から送信される前記警報種別を受信する受信手段と、
前記受信手段が受信した警報種別に基づいて作動する複数の警報手段と、を備えることを特徴とする録画再生装置一体型テレビ。
【請求項２】
装置本体とリモコンとからなり、動作予約設定機能を有するＡＶ機器において、
前記装置本体は、
前記動作予約設定の動作開始時刻よりも所定時間だけ早い通知時刻に到達したか否かを判定する判定手段と、
前記判定手段が通知時刻に到達したと判定したときに、事前通知を無線でリモコンに送信する送信手段と、を備え、
前記リモコンは、
前記装置本体から送信される前記事前通知を受信する受信手段と、
前記受信手段が前記事前通知を受信すると作動する警報手段と、を備えることを特徴とするＡＶ機器。
【請求項３】
装置本体とリモコンとからなり、テレビ放送番組の録画予約機能を有する録画再生装置一体型テレビにおいて、
前記装置本体は、
前記録画予約が忘れられていると推定される今後の放送番組の開始前に行われる事前通知の警報種別および事前通知の先行時間を設定する設定手段と、
前記設定手段で設定された警報種別および先行時間、ならびに過去に録画された放送番組の履歴を記憶する記憶部と、
前記記憶部に記憶された先行時間内に開始される今後の放送番組であって、録画予約が忘れられていると推定される放送番組を、前記記憶部に記憶された履歴中の放送番組間の開始時刻およびチャンネルの同一性に基づいて推定する推定手段と、
前記推定手段が今後の放送番組を推定したときに、推定された放送番組が既に録画予約されているか否かを判定する判定手段と、
前記判定手段が推定された放送番組が録画予約されていないと判定したときに、前記警報種別を電波信号によってリモコンに送信する送信手段と、を備え、
前記リモコンは、
前記装置本体から送信される前記警報種別を受信する受信手段と、
前記受信手段が受信した警報種別に基づいて作動する複数の警報手段と、を備えることを特徴とする録画再生装置一体型テレビ。
【請求項４】
装置本体とリモコンとからなり、テレビ放送番組の録画予約機能を有する録画再生装置において、
前記装置本体は、
前記過去に録画された放送番組の履歴を記憶する記憶部と、
所定時間内に開始される今後の放送番組であって、録画予約が忘れられていると推定される放送番組を、前記記憶部に記憶された履歴中の放送番組間の開始時刻およびチャンネルの同一性に基づいて推定する推定手段と、
前記推定手段が今後の放送番組を推定したときに、事前通知を無線でリモコンに送信する送信手段と、を備え、
前記リモコンは、
前記装置本体から送信される前記事前通知を受信する受信手段と、
前記受信手段が前記事前通知を受信すると作動する警報手段と、を備えることを特徴とする録画再生装置。
【発明の詳細な説明】
【技術分野】
【０００１】
本発明は、録画予約やオンタイマーなどの動作予約設定機能を備えた録画再生装置一体型テレビ、録画再生装置およびＡＶ機器に関する。
【背景技術】
【０００２】
殆どのＤＶＤレコーダやテレビなどのＡＶ機器では、リモコンから所定の動作の動作開始時刻を指定する動作予約設定、例えば録画予約やオンタイマーによる電源オンが行えるようになっている。動作予約設定してから時間が経過すると設定内容がユーザに定かでなくなり、設定内容を確認したくなることがある。この場合、リモコンを操作して設定内容をテレビ画面などに表示させれば確認できるが、ユーザにとってはリモコンの操作が煩わしい。そこで、設定内容を自動的に表示または音声案内することが提案されている（例えば、特許文献１）。ここでは、オートサーフィン機能などを動作予約設定できる携帯型情報端末が公衆回線に接続された保持台に置かれた場合、動作予約設定が行われているときは、設定内容が携帯型情報端末の表示部に表示され、あるいは音声案内が行なわれる。動作予約設定が行われていないときは、動作予約設定を行うための入力画面が表示される。また、携帯型情報端末と同様の機能を備えた装置がテレビのリモコンとして使用される場合は、上記保持台はテレビ本体に組み込まれる。
【特許文献１】特開２０００−２５９５７６号公報（段落０００１〜００１０、００１９〜００３０、００９２〜００９４）
【発明の開示】
【発明が解決しようとする課題】
【０００３】
上記特許文献１のものにおいては、設定内容が自動的に表示されるので、ユーザの利便性は向上する。しかし、動作予約設定したこと自体を全く忘れているような場合には、ユーザは設定内容を確認することなど思いつかない。例えば、ＤＶＤレコーダで放送番組を録画しながら視聴しようとして録画予約したにもかかわらず、録画予約したことを忘れてしまうと、その放送番組は録画されるものの録画しながらの視聴ができなくなってしまう。また、テレビで放送番組を見ようとして放送開始時刻になったら電源が入るように動作予約設定をした場合、動作予約設定をしたことを忘れて別の部屋にいると、電源が入ったことに気づかずに放送番組を見逃してしまう。一方、連続テレビ放送番組では、録画予約をしなければならないにもかかわらず、録画予約をするのを忘れて録画をしそこなうことがある。
【０００４】
本発明は、上記問題点を解決するものであって、その課題とするところは、動作予約設定をしたこと、または録画予約がされていないことをユーザに事前に知らせる機能を備えた録画再生装置一体型テレビ、録画再生装置およびＡＶ機器を提供することにある。
【課題を解決するための手段】
【０００５】
第１の発明では、装置本体とリモコンとからなり、テレビ放送番組の録画予約機能を有する録画再生装置一体型テレビにおいて、装置本体は、録画予約の録画開始時刻の前に行われる事前通知の要否、事前通知の警報種別および事前通知の先行時間を録画予約ごとに設定する設定手段と、設定手段で設定された事前通知の要否、警報種別および先行時間を録画予約の録画開始時刻と対応付けて記憶する記憶部と、記憶部に記憶された事前通知要の録画予約の録画開始時刻と先行時間とに基づいて、事前通知の通知時刻に到達したか否かを判定する判定手段と、判定手段が通知時刻に到達したと判定したときに、当該録画予約に係る警報種別を電波信号によってリモコンに送信する送信手段と、を備える。リモコンは、装置本体から送信される警報種別を受信する受信手段と、受信手段が受信した警報種別に基づいて作動する複数の警報手段と、を備える。
【０００６】
ここで、上記の設定手段および判定手段は実施形態に示す装置本体のマイコンに相当するものである。
【０００７】
上記のように、録画予約の録画開始時刻の前にブザーなどの警報手段が作動するので、録画予約をしたことを忘れているユーザに、そのことを気づかせることができる。これにより、ユーザが所定のアクション（例えばモニタの電源を入れる）を採ることが可能となり、上述の録画しながらの放送番組を見逃すといった問題などを防止することができる。また、リモコンへの事前通知が電波信号によって行われるので、リモコンが装置本体のある部屋の外に持ち出されていても、リモコンを持ち出しているユーザに警報手段による事前通知を行うことができる。さらに、リモコンが複数の警報手段を備えており、録画予約ごとに事前通知の要否、警報の種別および先行時間を設定できるので、録画予約した放送番組の種類や、ユーザの好み、録画再生装置一体型テレビの使用状況などに応じた事前通知を行うことができる。
【０００８】
第２の発明では、装置本体とリモコンとからなり、動作予約設定機能を有するＡＶ機器において、装置本体は、動作予約設定の動作開始時刻よりも所定時間だけ早い通知時刻に到達したか否かを判定する判定手段と、判定手段が通知時刻に到達したと判定したときに、事前通知を無線でリモコンに送信する送信手段と、を備える。リモコンは、装置本体から送信される事前通知を受信する受信手段と、受信手段が事前通知を受信すると作動する警報手段と、を備える。
【０００９】
ここで、上記の判定手段は実施形態に示す装置本体のマイコンに相当するものである。また、上記の無線による送受信は、電波や赤外線などによって行なわれる。
【００１０】
上記のように、動作予約設定（録画予約やオンタイマーによる電源オン）の動作開始時刻の前にブザーなどの警報手段が作動するので、動作予約設定をしたことを忘れているユーザに、そのことを気づかせることができる。これにより、ユーザが所定のアクション（例えばＡＶ機器が接続されたテレビの電源を入れる）を採ることが可能となり、上述の録画しながらの放送番組を見逃すといった問題などを防止することができる。
【００１１】
第３の発明では、装置本体とリモコンとからなり、テレビ放送番組の録画予約機能を有する録画再生装置一体型テレビにおいて、装置本体は、録画予約が忘れられていると推定される今後の放送番組の開始前に行われる事前通知の警報種別および事前通知の先行時間を設定する設定手段と、設定手段で設定された警報種別および先行時間、ならびに過去に録画された放送番組の履歴を記憶する記憶部と、記憶部に記憶された先行時間内に開始される今後の放送番組であって、録画予約が忘れられていると推定される放送番組を、記憶部に記憶された履歴中の放送番組間の開始時刻およびチャンネルの同一性に基づいて推定する推定手段と、推定手段が今後の放送番組を推定したときに、推定された放送番組が既に録画予約されているか否かを判定する判定手段と、判定手段が推定された放送番組が録画予約されていないと判定したときに、警報種別を電波信号によってリモコンに送信する送信手段と、を備える。リモコンは、装置本体から送信される警報種別を受信する受信手段と、受信手段が受信した警報種別に基づいて作動する複数の警報手段と、を備える。
【００１２】
ここで、上記の設定手段、推定手段および判定手段は実施形態に示す装置本体のマイコンに相当するものである。
【００１３】
上記のように、録画予約が忘れられていると推定される放送番組が見つかると、当該放送番組の開始前にブザーなどの警報手段が作動するので、録画予約するのを忘れたことをユーザに気づかせることができる。これにより、ユーザが所定のアクション（例えばリモコンの録画キーを押して録画をする）を採ることができるので、録画をしそこなうという問題を防止することができる。また、リモコンへの事前通知が電波信号によって行われるので、リモコンが装置本体のある部屋の外に持ち出されていても、リモコンを持ち出しているユーザに警報手段による事前通知を行うことができる。さらに、リモコンが複数の警報手段を備えており、事前通知の警報種別および先行時間を設定できるので、ユーザの好みや録画再生装置一体型テレビの使用状況などに応じた事前通知を行うことができる。さらに、録画しそこなうという問題が起きないことから、推定手段で推定された録画予約済みの放送番組に対しては事前通知を行わないようにしているので、事前通知がされたときに、何をすべきかの判断がユーザにとって容易となる。
【００１４】
第４の発明では、装置本体とリモコンとからなり、テレビ放送番組の録画予約機能を有する録画再生装置において、装置本体は、過去に録画された放送番組の履歴を記憶する記憶部と、所定時間内に開始される今後の放送番組であって、録画予約が忘れられていると推定される放送番組を、記憶部に記憶された履歴中の放送番組間の開始時刻およびチャンネルの同一性に基づいて推定する推定手段と、推定手段が今後の放送番組を推定したときに、事前通知を無線でリモコンに送信する送信手段と、を備える。リモコンは、装置本体から送信される事前通知を受信する受信手段と、受信手段が事前通知を受信すると作動する警報手段と、を備える。
【００１５】
ここで、上記の推定手段は実施形態に示す装置本体のマイコンに相当するものである。また、上記の無線による送受信は、電波や赤外線などによって行なわれる。
【００１６】
上記のように、録画予約が忘れられていると推定される放送番組が見つかると、当該放送番組の開始前にブザーなどの警報手段が作動するので、録画予約するのを忘れたことをユーザに気づかせることができる。これにより、ユーザが所定のアクション（例えばリモコンの録画キーを押して録画をする）を採ることができるので、録画をしそこなうという問題を防止することができる。
【発明の効果】
【００１７】
本発明によれば、動作予約設定をしたことがユーザに事前に通知されるので、ユーザが動作予約設定をしたことを忘れていても、適切なアクションを採ることができ、録画しながらの放送番組を見逃すといった問題などを防止することができる。また、録画予約がされていないことがユーザに事前に通知されるので、ユーザが録画予約をするのを忘れていても、適切なアクションを採ることができ、録画をしそこなうという問題を防止することができる。
【発明を実施するための最良の形態】
【００１８】
図１は、本発明に係る録画再生装置一体型テレビの１つであるＤＶＤレコーダ一体型テレビ（以下、一体型テレビという）の構成を示す。（ａ）は装置本体とリモコンとで構成される一体型テレビの全体構成を示し、（ｂ）はリモコンの構成を示す。（ａ）において、リモコン３０以外のものが装置本体１０である。以下、図１を参照して一体型テレビ１の構成について説明する。装置本体１０は、アンテナ１１で受信されたテレビ放送の放送信号に対して信号処理部１２で各種の信号処理を施し、液晶表示パネルなどからなるモニタ１３にテレビ放送の映像を表示し、スピーカ１４から音声を出力する。また、放送信号をＤＶＤ−Ｒなどの記録可能型のＤＶＤ１５に記録し、さらにＤＶＤ１５に記録された映像や音声を再生する。
【００１９】
マイコン１６は、ＣＰＵやＲＯＭ、ＲＡＭ、時計回路などを備えており、ＲＯＭに格納されたプログラムをＣＰＵが実行することにより、テレビ放送の映像および音声の出力やＤＶＤ１５の録画・再生のための制御を行う。また、時計回路から読み出した時刻データ（年月日も含む）を用いて後述する処理を実行する。マイコン１６には、メモリ１７、赤外線通信部１８、および無線通信部１９が接続されている。
【００２０】
赤外線通信部１８は、リモコン３０から受信した赤外線信号を電気信号に変換してマイコン１６に送る。この電気信号に基づいて、マイコン１６がテレビ放送のチャンネル切り換えや録画予約などの処理を実行する。無線通信部１９は、マイコン１６から受取った信号を電波信号に変換してリモコン３０に送信する。この電波信号は一般家庭の家屋内で受信可能であるので、リモコン３０が装置本体１０のある部屋の外に持ち出されていても、電波信号を受信できる。メモリ１７は、フラッシュメモリなどの不揮発性メモリであり、録画予約の設定データなどを記憶する。
【００２１】
リモコン３０のマイコン３４も、ＣＰＵやＲＯＭ、ＲＡＭなどを備えており、赤外線通信部３１などを制御する。マイコン３４は、キーパッド３３のキーが押されたことを検出すると、当該キーの信号を赤外線通信部３１に送る。赤外線通信部３１は、当該信号を赤外線信号に変換して装置本体１０に送信する。無線通信部３２は、装置本体１０から受信した電波信号を電気信号に変換してマイコン３４に送る。この電気信号は、ブザー３５、ＬＥＤ（発光ダイオード）３６および振動発生器３７の少なくとも１つを作動させるための信号であり、マイコン３４は当該信号に基づいてブザー３５などを作動させる。このブザー３５、ＬＥＤ３６および振動発生器３７が本発明における警報手段に相当する。
【００２２】
まず、本発明の第１の実施形態について説明する。本実施形態では、録画予約などの動作予約設定の予約時刻、すなわち録画などの開始時刻の数分前に装置本体１０からリモコン３０に上記の電波信号を送信し、この信号でブザー３５などを作動させる。つまり、この事前通知によって予約時刻が近いことをユーザに知らせる。上記の数分は、ブザー３５などが作動してからユーザが所定のアクションを完了するまでの時間、例えば別の部屋から装置本体１０の前に移動するまでの時間であり、通常は５分程度である。以下では、録画予約の場合を例にして説明する。
【００２３】
図２はモニタ１３に表示される録画予約画面を示す。この録画予約画面５０は、リモコン３０で所定の操作がされると表示され、放送番組の録画を予約する録画予約部５１と事前通知の方法を設定するための事前通知設定部５２とからなる。録画予約部５１は従来のものと同様であるので説明を省略する。事前通知設定部５２では、録画予約部５１で選択されているもの、ここではＮｏ．１２に対する事前通知の方法が設定される。この設定は、リモコン３０のキーパッド３３の所定のキーを操作することにより行われる。また、設定項目として、事前通知の要否、事前通知の警報種別、および予約時刻（録画開始時刻）に先行する事前通知の先行時間がある。
【００２４】
事前通知要と設定されたときには上記の事前通知が行われ、事前通知否と設定されたときには事前通知は行われない。警報種別の設定により、ブザー３５、ＬＥＤ３６および振動発生器３７の１つまたは複数が指定される。ここではブザー３５が指定されている。先行時間の設定により、予約時刻の何分前に事前通知がリモコン３０に送信されるが指定される。ここでは予約時刻（録画開始時刻）が２２：００であり、先行時間が３分と設定されているので、事前通知が行われる通知時刻は２１：５７になる。そして、各項目が設定された後、リモコン３０でＯＫボタンを押す操作が行われると、マイコン１６は、録画予約の設定データと事前通知の設定データとを対応付けてメモリ１７に保存し、録画予約画面５０をモニタ１３から消す。尚、リモコン３０を操作して再び録画予約画面５０を表示させれば、事前通知の設定データを変更することができる。
【００２５】
図３は装置本体１０での事前通知処理を示す。この処理は一定時間（例えば１０秒）ごとに実行され、まず、マイコン１６は、メモリ１７の記憶内容を調べることにより、事前通知要と設定された録画予約があるか否かを判定する（Ｓ１）。事前通知要の録画予約がある場合は（Ｓ１：ＹＥＳ）、メモリ１７中の先行時間および録画開始時刻から導き出される事前通知の通知時刻と現在時刻とを比較することにより、事前通知の通知時刻に到達しているか否かを判定する（Ｓ２）。通知時刻に到達している場合は（Ｓ２：ＹＥＳ）、メモリ１７中の警報種別のデータをリモコン３０に送信し（Ｓ３）、すなわち事前通知を送信し、その後、処理を終了する。一方、事前通知要の録画予約がない場合（Ｓ１：ＮＯ）、および現在時刻が事前通知の通知時刻に到達していない場合は（Ｓ２：ＮＯ）、マイコン１６は何もせずに処理を終了する。
【００２６】
リモコン３０側では、上記の警報種別のデータを装置本体１０から受信すると、すなわち事前通知を受信すると、マイコン３４が当該データにしたがってブザー３５、ＬＥＤ３６、または振動発生器３７を作動させる。警報種別のデータにおいて、ブザー３５が指定されているときはブザー３５が鳴り、ＬＥＤ３６が指定されているときはＬＥＤ３６が点滅し、振動発生器３７が指定されているときは振動発生器３７が振動する。また、ブザー３５とＬＥＤ３６とが指定されているときは、ブザー３５が鳴るとともにＬＥＤ３６が点滅する。また、ブザー３５の鳴動などはキーパッド３３の所定のキーが押されると停止する。
【００２７】
上記のように、録画予約の予約時刻になる前にブザー３５などが作動するので、録画予約をしたことを忘れているユーザに、そのことを気づかせることができる。これにより、ユーザが所定のアクション（例えばモニタ１３の電源を入れる）を採ることが可能となり、上述の録画しながらの放送番組を見逃すといった問題を防止することができる。
【００２８】
以上述べた実施形態においては、事前通知の要否、警報種別および先行時間をそれぞれ設定できるようにしたが、上記の設定を全てできるようにしなくとも本発明を実施することができる。例えば、リモコン３０がブザー３５しか備えていない場合には、警報種別の設定は無意味である。また、事前通知の要否を設定せずに常に事前通知をするようにしてもよいし、先行時間を設定せずに予約時刻の一定時間（例えば５分）前に事前通知をするようにしてもよい。
【００２９】
次に、本発明の第２の実施形態について説明する。本実施形態では、ユーザが録画予約するのを忘れたとき、すなわち録画予約がされるべきであったのにされていないときに、そのことをユーザに事前に通知する。上述のように、録画予約の設定データはメモリ１７に保存されるが、録画が終了するとメモリ１７から削除される。本実施形態では、録画の履歴を一定期間（例えば３ヶ月）にわたって録画履歴ファイルとしてメモリ１７に保存し、録画履歴ファイルを利用して上記の事前通知を行なう。録画履歴ファイルには、録画予約により、および録画予約によらずに録画された放送番組の年月日、録画開始時刻（放送開始時刻）および放送チャンネルが記録されている。
【００３０】
図４は装置本体１０での事前通知処理を示す。この処理は一定時間（例えば３０秒）ごとに実行され、まず、マイコン１６は、録画履歴ファイルをサーチして放送開始時刻まで所定時間以内（例えば５分以内）のファイル中の放送番組のうちで事前通知要の放送番組を推定する（Ｓ１１）。ここで、事前通知要の放送番組とは、ユーザが録画予約するのを忘れたと推定される放送番組のことである。この推定は、録画履歴ファイル中の放送番組間の録画開始時刻およびチャンネルの同一性に基づいて行われる。
【００３１】
例えば、現時点が木曜日の１０：５５であるとときに、先々週と先週の木曜日の１１：００から同じチャンネルの放送番組が録画されていれば、当該チャンネルで本日の１１：００から始まる放送番組が事前通知要の放送番組と推定される。それに対し、先々週と先週の木曜日の１１：００から異なるチャンネルの放送番組が録画されていれば、両チャンネルで本日の１１：００から始まる放送番組は事前通知要の放送番組ではないと推定される。また、現時点が木曜日の１０：５５であるとときに、今週の月曜日から水曜日まで連続して１１：００から同じチャンネルの放送番組が録画されていれば、当該チャンネルで本日の１１：００から始まる放送番組が事前通知要の放送番組と推定される。
【００３２】
そして、事前通知要の放送番組が推定された場合は（Ｓ１２：ＹＥＳ）、その放送番組が既に録画予約されているか否かを調べる（Ｓ１３）。録画予約されていない場合は（Ｓ１３：ＮＯ）、ユーザが録画予約するのを忘れている可能性が高いので、マイコン１６は、上記の警報種別のデータを電波によってリモコン３０に送信し（Ｓ１４）、すなわち事前通知を送信し、その後、処理を終了する。一方、事前通知要の放送番組が推定されなかった場合（Ｓ１２：ＮＯ）、および事前通知要の放送番組が推定されたが当該放送番組が既に録画予約されている場合は（Ｓ１３：ＹＥＳ）、マイコン１６は何もせずに処理を終了する。リモコン３０側では、上記の警報種別のデータを受信すると、すなわち事前通知を受信すると、当該データにしたがってブザー３５、ＬＥＤ３６または振動発生器３７を作動させる。
【００３３】
上記のように、ユーザが録画予約するのを忘れていると推定される放送番組が見つかると、当該放送番組の開始前にブザー３５などが作動するので、録画予約するのを忘れたことをユーザに気づかせることができる。これにより、ユーザが所定のアクション（例えばリモコン３０のキーパッド３３の録画キーを押して録画をする）を採ることができるので、録画をしそこなうという問題を防止することができる。
【００３４】
上記の説明では、警報種別および先行時間（上記の放送開始時刻までの所定時間のこと）の設定について触れなかったが、両設定データが所定の設定処理によって設定され、メモリ１７に保存されているものとしている。また、警報種別および先行時間を設定せずに、常にブザー３５だけを用いるようにしてもよいし、先行時間を一定の時間（例えば５分間）としてもよい。また、上記説明では、推定された放送番組が既に録画予約されている場合は（Ｓ１３：ＹＥＳ）録画しそこなうという問題は生じないので、警報種別のデータをリモコン３０に送信しないようにした。これに代えて、既に録画予約されていても警報種別のデータをリモコン３０に送信するようにしてもよい。このようにすれば、先の実施形態と同様に、録画予約したことをユーザに気づかせることができる。
【００３５】
以上述べた第１、第２の実施形態においては、事前通知のためにブザー３５などが作動するだけであったが、リモコン３０に表示部を設け、装置本体１０のマイコン１６が送信する事前通知の対象を示すデータを表示部に表示するようにしてもよい。この場合、第１の実施形態では「あと５分で６チャンネルの放送番組の録画が開始されます」というように表示され、第２の実施形態では「５分後に始まる６チャンネルの放送番組を録画しますか？」というように表示される。このようにすれば、ブザー３５などが作動した原因が明確になるので、何をすべきかをユーザが容易に判断できるとともに、第２の実施形態においては、事前通知を推定された放送番組の開始時刻の数分前ではなく、数時間前や前日に行なっても、ユーザが適切なアクション（例えば録画予約をする）を採ることができる。
【００３６】
また、上記第１、第２の実施形態では、録画再生装置一体型テレビがＤＶＤレコーダ一体型テレビ１である場合について説明したが、ビデオテープやハードディスクなどを記録媒体とする録画再生装置一体型テレビにおいても本発明を実施することができる。また、本発明は、録画再生装置一体型テレビだけでなく、録画再生装置（例えばＤＶＤレコーダ）や、テレビ、オーディオ機器などのＡＶ機器でも実施することができる。
【００３７】
さらに、上記第１、第２の実施形態では、事前通知用の設定データや録画履歴ファイルを記憶する記憶部として不揮発性のメモリ１７を用いたが、他の記憶媒体、例えばハードディスクを使用することもできる。さらに、上記第１、第２の実施形態では、電波信号によって事前通知を行なったが、赤外線信号などを用いても本発明は実施可能である。但し、装置本体１０とリモコン３０とが異なる部屋にある場合にはリモコン３０で事前通知を受信できなくなる。
【図面の簡単な説明】
【００３８】
【図１】ＤＶＤレコーダ一体型テレビの構成を示す図である。
【図２】モニタに表示される録画予約画面を示す図である。
【図３】第１の実施形態における装置本体での事前通知処理を示す図である。
【図４】第２の実施形態における装置本体での事前通知処理を示す図である。
【符号の説明】
【００３９】
１    ＤＶＤレコーダ一体型テレビ（一体型テレビ）
１０  装置本体
１５  ＤＶＤ（記録媒体）
１６  マイコン
１７  メモリ（記憶部）
１９  無線通信部（送信手段）
３０  リモコン
３２  無線通信部（受信手段）
３４  マイコン
３５  ブザー（警報手段）
３６  ＬＥＤ（警報手段）
３７  振動発生器（警報手段）
【図１】
2006254264.tif 000003
【図２】
2006254264.tif 000004
【図３】
2006254264.tif 000005
【図４】
2006254264.tif 000006